(57)【特許請求の範囲】
【請求項１】
少なくとも一の自由端を有し、所望の形状に形成した屈曲可能な線状発光体からなり、基台上に設けられる装飾体と、
前記装飾体の自由端近傍に装着され、複数の略球状磁石を磁力で繋げて形成される第１の磁性体と、前記第１の磁性体を前記基台の背面側からその基台を介して吸着可能な第２の磁性体と、前記第２の磁性体を前記基台の面内方向に沿う方向に駆動する駆動モータとを有し、前記装飾体が揺動するように、前記自由端を駆動する駆動手段と、
前記装飾体の揺動動作時に、当該装飾体を発光させる発光手段と
を有する装飾装置。
【請求項２】
少なくとも一の自由端を有し、所望の形状に形成した屈曲可能な線状発光体からなる装飾体と、
前記装飾体が所定の形状に次第に変形するように、前記自由端を駆動する駆動手段と、
前記駆動手段による装飾体の変形状態に応じて、当該装飾体の点滅間隔を制御する点滅制御手段と
を有する装飾装置。
【請求項３】
外部の気圧を検出する気圧検出手段を有し、
前記駆動手段および点滅制御手段は、前記気圧検出手段の検出結果に基づいて制御される
請求項２記載の装飾装置。
【請求項４】
前記駆動手段は、駆動モータと、前記駆動モータの回転軸に軸支され、周縁部に一の係合部が形成されている回転体と、前記装飾体に取り付けられ、前記回転体の回転時に前記係合部と係合して当該装飾体を変形させる係合体とを有する
請求項２または３記載の装飾装置。
【発明の詳細な説明】
【０００１】
【発明の属する技術分野】
本発明は、例えばイルミネーションや看板等に使用され、様々な形状に加工された発光体を備えた装飾装置に関する。
【０００２】
【従来の技術】
例えば繁華街等でよく見受けられるイルミネーション、看板あるいは工事現場で使用される案内標識などのように、蛍光管やハロゲン管を点滅させて夜間の視認性を高めて人々の注目を集めたり、また注意を喚起するようにした装飾装置は、従来よく知られている。このような装飾装置で使用される蛍光管等の発光体は、一般に、所望の文字、図柄、あるいは会社のマーク等の形状にあらかじめ加工されている。
【０００３】
また、表示されている情報内容を様々に変化させることのできる装飾装置の場合には、数多くの発光ダイオードや電球をグリッド状に配置し、それらの点滅タイミングを様々に変化させることにより、情報内容や表示された図柄の形状を変化させるようになっている。
【０００４】
【発明が解決しようとする課題】
しかしながら、前者のような装飾装置では、発光体の形状が予め決まっているため、周囲の人々に飽きられやすく、度々表示内容を変えないと装飾装置としての機能を十分に発揮できないという恐れがある。
また、後者の装飾装置の場合には、表示内容を切り換えることは比較的容易に実施することができるが、例えば表示された図柄はドッドパターンとして描かれることから、それらを一連の連続した例えば柔らか味のある図形として描くことは不可能である。
【０００５】
本発明は、上述した問題点に鑑みてなされたものであり、その目的は、簡単な構造でありながら、興趣に富み、視認性も良好な、発光体による動きのある装飾装置を提供することにある。
【課題を解決するための手段】
【０００６】
上記目的を達成するために、本発明の装飾装置は、少なくとも一の自由端を有し、所望の形状に形成した屈曲可能な線状発光体からなり、基台上に設けられる装飾体と、前記装飾体の自由端近傍に装着され、複数の略球状磁石を磁力で繋げて形成される第１の磁性体と、前記第１の磁性体を前記基台の背面側からその基台を介して吸着可能な第２の磁性体と、前記第２の磁性体を前記基台の面内方向に沿う方向に駆動する駆動モータとを有し、前記装飾体が揺動するように、前記自由端を駆動する駆動手段と、前記装飾体の揺動動作時に、当該装飾体を発光させる発光手段とを有する。
【０００７】
本発明の装飾装置は、少なくとも一の自由端を有し、所望の形状に形成した屈曲可能な線状発光体からなる装飾体と、前記装飾体が所定の形状に次第に変形するように、前記自由端を駆動する駆動手段と、前記駆動手段による装飾体の変形状態に応じて、当該装飾体の点滅間隔を制御する点滅制御手段とを有する。
また、本発明の装飾装置は、好適には、外部の気圧を検出する気圧検出手段を有し、前記駆動手段および点滅制御手段は、前記気圧検出手段の検出結果に基づいて制御される。
さらに、前記駆動手段は、駆動モータと、前記駆動モータの回転軸に軸支され、周縁部に一の係合部が形成されている回転体と、前記装飾体に取り付けられ、前記回転体の回転時に前記係合部と係合して当該装飾体を変形させる係合体とを有する。
【０００８】
本発明の装飾装置によれば、装飾体は、例えば駆動モータなどの駆動手段によって第２の磁性体が基台の面内方向に移動され、そのため、それに吸着している第１の磁性体が同じ方向に移動される。それにより、装飾体が揺動することになる。また、この揺動動作時には、発光手段により装飾体が発光される。
【０００９】
本発明の装飾装置によれば、例えば気圧検出手段による検出結果に基づいて駆動モータの回転角度が制御され、所定角度だけ回転する。駆動モータが回転すると、回転体が回転し、それにより係合体が移動して装飾体が変形する。例えば気圧が徐々に低下すると、駆動モータもそれに応じて徐々に回転し、例えば装飾体の形状が一層変形する。なお、気圧検出手段による検出結果に基づいて装飾体の点滅間隔も制御されるから、装飾体の変形量が大きくなると例えば点滅間隔も一層短くなることになる。
【００１０】
【発明の実施の形態】
［第１の実施の形態］
本発明のからくり時計の実施の形態について図面に基づいて説明する。
図１は、本発明のからくり時計の正面図、図２は、図１に示すからくり時計の装飾装置の要部断面図、図３は、図１に示すからくり時計の回路ブロック図である。
【００１１】
図１に示すからくり時計１は、筐体１０内に時計装置２０と装飾装置３０とが一体的に組み入れられており、時計装置２０は筐体１０の上部側に配置され、装飾装置３０は下部側に配置されている。
筐体正面部１１には、筐体１０の外部から現在時刻、並びに装飾装置３０内に設けられた後述する装飾体３１の揺動動作および点滅動作を認識できるように、透明板１１ａが嵌め込まれている。
【００１２】
時計装置２０は、現在時刻を表示するとともに筐体１０内部を２つの部室に区分けする文字盤２１と、文字盤２１の裏面側に固定され、所定のパルス信号に基づいて指針２２を駆動する図示しないムーブメントとで構成されている。
【００１３】
装飾装置３０は、上述した時計装置２０の文字盤２１正面側に設けられ、「花」の図柄になるように形成された装飾体３１と、装飾体３１を図１に示す矢印Ａ方向に揺動させる駆動装置３２とで構成されている。
装飾体３１は、屈曲可能で弾力性に富む線状発光体として、ＥＲＡＭ社製の電界発光ファイバ（ＥＬＦ）を用いて構成されている。
この電界発光ファイバは、例えば図２に示すように装飾体３１の文字盤２１における固定端３１ａ部分の文字盤２１背面側のプラス（＋）・マイナス（−）電極間に数ｍＡの交流電流を流すと、ファイバの芯とファイバ上層の透明な電極間に電位差が発生し、それにより、その間に形成された電界発光の燐光の層が発光するようになっている。なお、１００Ｖ／８００ＨＺ  での輝度は、６５ｃｄ／  ｍ２  （標準初期特性）程度である。
【００１４】
装飾体３１は、図２からわかるように、文字盤２１に対して固定端３１ａの一箇所で固定されており、「花」の花弁部分となる自由端３１ｂを駆動装置３２によって揺動させることにより、固定端３１ａ部分を揺動中心として揺動するように構成されている。
【００１５】
駆動装置３２は、装飾体３１の自由端３１ｂ近傍に装着された第１の磁性体３２ａと、第１の磁性体３２ａを文字盤２１の背面側から磁力によって吸着する第２の磁性体３２ｂと、一端側に第２の磁性体３２ｂが固着され、他端側がギアボックス３２ｃに回転軸３２ｄを介して軸支されているクランク棒３２ｅと、第２の磁性体３２ｂが文字盤２１の背面側の面内方向を移動するように、ギアボックス３２ｃに回転駆動力を与える駆動モータ３２ｆとで構成されている。
【００１６】
第１の磁性体３２ａは、図２からわかるように、４個の磁石を磁力によって繋げた構成となっている。なお、図中装飾体３１側の３個の磁石は略球状に形成され、また図中最も右端の磁石は第２の磁性体３２ｂとの電磁面が大きくとれるように平板状に形成されている。これにより、第２の磁性体３２ｂの回転運動に対してどのような位置であっても追従可能となる。また、図中装飾体３１側の３個の磁石が略球状に形成されていることから、互いの磁石の接触面積が極小となり、装飾体３１の揺動動作を妨げることがない。
【００１７】
第２の磁性体３２ｂは、第１の磁性体３２ａに対してより大きな磁力を及ぼすことができるように、平板状に形成されている。本実施の形態では、図２からわかるように、駆動モータ３２ｆからの回転駆動力を、第２の磁性体３２ｂと文字盤２１の背面との摩擦によって妨げることがないように、所定のクリアランスが設定されている。なお、このクリアランス量を大きく取りすぎると、装飾体３１の第２の磁性体３２ｂの移動に伴う追従性が悪化するので注意が必要である。
ギアボックス３２ｃは、装飾体３１が最適な揺動運動を行うように、駆動モータ３２ｆの回転数を抑制するために設けられている。
【００１８】
本からくり時計１の内部回路の構成について、図３に基づいて説明する。
からくり時計１のムーブメント内部には、正時入力あるいは外部からのモニタ入力があった場合にオン状態となって駆動モータ３２ｆを作動させるとともに、装飾体３１を点滅させる正時接点およびモニタ接点を有している。
また、からくり時計１の内部回路は、装飾体３１の点滅タイミングを設定するタイミング回路４１と、スイッチングトランジスタ４２と、タイミング回路４１によって設定されたタイミングで周期的にオンオフし、装飾体３１を点滅させるインバータ回路４３とを、点滅手段として備えている。
【００１９】
図３からわかるように、正時接点およびモニタ接点の出力側は駆動モータ３２ｆの入力端子およびタイミング回路４１の入力端子に接続され、タイミング回路４１の出力端子は抵抗器４４を介してスイッチングトランジスタ４２のベース端子の接続され、スイッチングトランジスタ４２のエミッタ端子は電源のプラス側に接続され、コレクタ端子はインバータ回路４３に接続されている。また、インバータ回路４３の出力端子には図示しない装飾体３１の入力端子が接続されている。
【００２０】
タイミング回路４１は、所定周波数のパルス信号を予め設定された周期で発生させて外部に出力する。
スイッチングトランジスタ４２は、タイミング回路４１から出力されたパルス信号を受けてオン状態になり、電流をインバータ回路４３に供給する。
インバータ回路４３は、スイッチングトランジスタ４２からのエミッタ電流を受けて、装飾体３１に供給する電流を直流電流から交流電流に切り換える。
【００２１】
次に、からくり時計１が正時になった場合の装飾装置３０の動作について説明する。
時計装置２０の指針２２が正時を指示すると、図３に示す正時接点４０がオン状態になり、正時信号が図示しない制御回路に入力される。
正時接点４０がオン状態になると、図２および図３に示す駆動モータ３２ｆが例えば時計周り方向に回転する。駆動モータ３２ｆの回転数はギヤボックス３２ｃを介して減速され、回転軸３２ｄは、ギヤボックス３２ｃによって減速された回転数でクランク棒３２ｅを文字盤２１の背面側に沿う方向に回転駆動する。これにより、クランク棒３２ｅの先端部に固着された第２の磁性体３２ｂは、上述した一連のクランク機構によって所定の図形の軌跡を描きながら回転運動することになる。
【００２２】
第２の磁性体３２ｂの上述した回転運動によって、第２の磁性体３２ｂの磁力によって吸着されている第１の磁性体３２ａも、第２の磁性体３２ｂと同様の軌跡を描きながら回転する。
第１の磁性体３２ａは装飾体３１の自由端３１ｂに装着されていることから、上述した第１の磁性体３２ａの回転運動に伴って、装飾体３１は、固定端３１ａを中心にして各磁性体３２ａ間の微妙な移動により前後移動しながら図１に示す矢印Ａ方向に揺動することになる。
【００２３】
駆動モータ３２ｆが回転して装飾体３１が揺動を開始すると、それと同時に図示しない制御回路によってタイミング回路４１から所定周波数のパルス信号が、予め設定された周期で発生する。そのパルス信号はスイッチングトランジスタ４２のベース端子に入力し、それによりスイッチングトランジスタ４２がオン状態になる。
【００２４】
スイッチングトランジスタ４２がオン状態になると、スイッチングトランジスタ４２内を経由して所定の直流電圧がインバータ回路４３内に供給される。
インバータ回路４３では、スイッチングトランジスタ４２からの直流電圧を受けて、その電圧を１００Ｖの交流電圧に変換する。
装飾体３１はその交流電圧を受けて例えばブルーグリーン色に発光する。
なお、文字盤２１の盤面は、この装飾体３１の光を受けることにより、例えば暗闇に浮かび上がることが可能になる。
【００２５】
タイミング回路４１からのパルス信号が発生しなくなると、スイッチングトランジスタ４２がオフ状態になり、エミッタからコレクタへの直流電流の供給が停止する。このため、装飾体３１が消灯する。
上述した動作を繰り返すことにより、装飾体３１がタイミング回路４１に予め設定された周期で点滅を繰り返すことになる。
【００２６】
所定時間経過後、正時接点４０がオフ状態になると、駆動モータ３２ｆの回転が停止するとともに、タイミング回路４１でのパルス信号の生成が停止する。すなわち、装飾体３１の揺動動作が完了し、装飾体３１の点滅も停止する。
以上述べた通り、からくり時計１の装飾体３１の一連のからくり動作が完了したことになる。
【００２７】
以上説明したように、本実施の形態によれば、「花」の形状に形成された装飾体３１と、自由端３１ｂとしての花弁部分に装着された第１の磁性体に文字盤２１を介して磁力を与え、装飾体３１を文字盤２１正面の面内方向に固定端３１ａを中心として揺動させる駆動装置３２と、装飾体３１の揺動動作中に装飾体３１を点滅させる点滅手段としてのタイミング回路４１、スイッチングトランジスタ４２およびインバータ回路４３とを有しているので、装飾体３１を揺動させながら、それを点滅させることができる。これにより、面白味や意外性を備え、興趣に富み、しかも文字盤２１を照明可能なからくり時計１を得ることができるという利点がある。
【００２８】
また、本実施の形態によれば、装飾体３１を揺動させる駆動装置３２の主要部分であるクランク機構部分は、文字盤２１の背面側に設けられているので、からくり時計１の外観を損なうことがない。このため、装飾性の高いからくり時計１を得ることができる。
【００２９】
さらに、本実施の形態によれば、第１の磁性体３２ａは複数の磁石を磁力によって連結させた構成であるので、第２の磁性体３２ｂの回転動作に対して高い追従性を備えるとともに、装飾体３１の揺動動作を妨げることがない。このため、装飾体３１は揺動動作を滑らかかつスムーズに行うことが可能となる。
【００３０】
本実施の形態では、装飾体３１の揺動動作が開始されると同時に装飾体３１が点滅を開始するように構成されているが、例えば筐体正面部１１のいずれかの位置に例えばＣｄＳセルを設けて、からくり時計１の外部の光量の状態に応じて装飾体３１の点滅を制御するようにしてもよい。つまり、外部が十分に明るい場合には装飾体３１の点滅は行わないようにしてもよい。
【００３１】
［第２の実施の形態］
本発明の装飾装置の実施の形態について図面に基づいて説明する。
図４は、本発明の第２の実施の形態の装飾装置を示す正面図、図５は、図４に示す装飾装置の回路構成を示すブロック図、図６は、図４に示す装飾装置の気圧の状態の変化にともなう装飾体の変化を説明するための図である。
【００３２】
図４に示す装飾装置５は、円周状に形成された装飾体５１が基台５２中央部に配置されている。その四方周縁部には装飾体５１ａ〜５１ｄが配置されている。
装飾体５１の上下側２箇所には、その周形状を変形させる駆動装置６０が設けられている。
装飾体５１ａ〜５１ｄの自由端５１１ａ〜５１１ｄには、第１の実施の形態で説明したように、図示しない磁性体が装着され、基台５２の背面側にそれぞれ設けられた図示しない駆動装置によって図４に矢印で示す方向に、固定端５１２ａ〜５１２ｄを中心としてそれぞれ揺動可能に構成されている。
なお、装飾体５１ａ〜５１ｄの駆動装置および駆動方法については、第１の実施の形態で説明したものと同じであるので、本実施の形態では詳細は説明しない。
【００３３】
装飾体５１および装飾体５１ａ〜５１ｄは、第１の実施の形態と同様、屈曲可能で弾力性に富むＥＲＡＭ社製の電界発光ファイバ（ＥＬＦ）によって構成されている。
駆動装置６０は、図４からわかるように、係合部６１ａがその周縁部に形成さ装飾体５１の上下側に固着されている回転体６１と、その係合部６１ａと係合可能な係合溝６２ａが形成され、係合体６２と、基台５２の背面側に設けられ、回転体６１を図４に示す矢印方向に回転駆動する図示しない駆動モータとで構成されている。
また、基台５２の背面側には図示しない気圧センサ７１が配置され、装飾装置５の周辺部の気圧を逐次計測できるように構成されている。
【００３４】
装飾装置５の回路構成について、図５に基づいて説明する。
装飾装置５の内部回路は、気圧センサ７１と、増幅回路７２と、Ａ−Ｄ変換回路７３と、マイコン回路７４と、モータバッファ７５と、インバータ回路７６とで構成されている。なお、マイコン回路７４には、装飾体５１および装飾体５１ａ〜５１ｄのモニタを行うモニタスイッチ８１と、マイコン回路７４内のメモリをクリアするリセットスイッチ８２が接続されている。
【００３５】
増幅回路７２は、気圧センサ７１で得られた電圧の変化を増幅してＡ−Ｄ変換回路７３に出力する。なお、増幅回路７２内には気圧センサ７１で拾ったノイズを増幅しないように図示しないフィルタが設けられている。
Ａ−Ｄ変換回路７３は、増幅回路７２によって増幅された気圧センサ７１での電圧の変化量データを、マイコン回路７４にて処理できるようにデジタルデータに変換する。
【００３６】
マイコン回路７４は、上述したデジタルデータに基づきモータバッファ７５に対して、各駆動モータに供給する電流値を指示する。また、予め設定された周期でパルス信号を発生させ、インバータ回路７６に出力する。
モータバッファ７５は、マイコン回路７４の出力に基づいて駆動装置６０の各駆動モータに電流を供給してその回転角度を制御する。本実施の形態では、駆動モータ１および駆動モータ２は同じ回転角度となるように同期制御される。なお、装飾体５１ａ〜５１ｄの図示しない駆動装置についても同様に各駆動モータが回転制御され、それらを矢印ＢあるいはＣ方向に移動させる。
【００３７】
インバータ回路７６は、マイコン回路７４内に設けられた図示しない点滅制御回路により気圧センサ７１の検出結果に基づいて生成されたパルス信号を受けて、直流電圧を交流電圧に設定時間だけ切り換えて、装飾体５１および装飾体５１ａ〜５１ｄに供給する。なお、上述した設定時間が切れると交流電圧の供給は行われない。
【００３８】
次に、本装飾装置５の動作について説明する。
気圧センサ７１による気圧計測の結果、気圧が低下傾向にある場合、つまり、晴れ状態から曇り状態を経て雨になる場合について説明する。なお、現在の気圧状態における装飾装置５の表示内容は図６（ａ）に示す通りである。
現在の気圧の状態から気圧が低下すると、増幅回路７２はその電圧値の変化量を、ノイズを除去したあとで増幅し、Ａ−Ｄ変換回路７３に出力する。
Ａ−Ｄ変換回路７３は、増幅回路７２からの出力を受けてそのアナログデータをデジタルデータに変換してマイコン回路７４に出力する。
【００３９】
マイコン回路７４は、そのデータに基づく駆動装置６０の駆動モータの図４に示す矢印Ｄ方向への回転角度を計算し、モータバッファ７５に対して制御信号を出力する。モータバッファ７５ではその制御信号に基づいて駆動モータを回転させる電流を発生させて、所定角度だけ回転させる。
このとき、周囲に雨になる傾向にあるという注意を喚起するために、マイコン回路７４内の点滅制御回路から所定周期のパルス信号がインバータ回路４３に出力され、その周期に合わせてインバータ回路４３は装飾体３１および装飾体５１ａ〜５１ｄを点滅させる。
【００４０】
回転体６１が矢印Ｄ方向に回転すると係合部６１ａが係合溝６２ａ内を移動し、それにより、装飾体５１が係合体６１によって中央部方向に押し込まれ、気圧の変化量に応じた量だけ凹むことになる。また、各装飾体５１ａ〜５１ｄについても矢印Ｂ方向に移動し、各装飾体５１ａ〜５１ｄがそれぞれ所定の角度を成すことになる。
【００４１】
さらに気圧が低下して予めマイコン回路７４内に設定された曇り時の気圧に到達すると、駆動装置６０の各駆動モータは徐々に１８０度回転し、装飾体５１をさらに中央部方向に凹ませる。なお、このときが最も装飾体５１が凹んだ状態である（図４に仮想線で示してある）。また、装飾体５１ａ〜５１ｄも矢印Ｂ方向に徐々に移動し、最終的に各装飾体は水平な状態になる。このときの装飾装置５の表示状態は、図６（ｂ）に示す通りである。この状態において、雨が降る傾向にあることを周囲の人々に知らせるために、気圧センサ７１の検出結果に基づいて、マイコン回路７４内の点滅制御回路は、先の周期よりさらに短い周期でパルス信号を発生し、インバータ回路７６に出力する。これにより、装飾体５１および装飾体５１ａ〜５１ｄはより短い周期で点滅する。
【００４２】
気圧センサ７１によって検出された気圧が予めマイコン回路内に設定された雨の気圧と合致すると、装飾体５１は曇りの状態、つまり装飾体５１が最も凹んだ状態に保持される。装飾体５１ａ〜５１ｄについては、図示しない各駆動モータによってその自由端５１１ａ〜５１１ｄが矢印Ｃ方向に移動され、最終的に各装飾体は垂直に立った状態になる。このときの装飾装置５の表示状態は、図６（ｃ）に示す通りである。
この後気圧が上昇すると徐々に図６（ｂ）の状態に戻り、各装飾体の点滅周期も次第に長くなるなどして、装飾装置５上では気圧の変化に応じた天気の表示および各装飾体の点滅が行われることになる。
【００４３】
以上説明したように、本実施の形態によれば、装飾体５１の形状を徐々に変化させる駆動装置６０を設け、装飾装置５１の変形状態つまり気圧センサ７１の検出結果に基づいて装飾体５１の点滅間隔を変える点滅制御回路を設けたので、基台５２上に、装飾体５１および装飾体５１ａ〜５１ｄの形状およびその点滅間隔に基づくお天気情報を表示することが可能となる。その結果、視認性が高く、より面白味のある興趣に富む装飾装置５を得ることができる。
【００４４】
本実施の形態では、装飾体５１および装飾体５１ａ〜５１ｄを使用してお天気情報を表示する構成としたが、用途はこれに限定されない。例えば、装飾体を顔の表情になるように配置し、何らかの情報を検出してその顔の表情が変わるように構成してもよい。
【００４５】
【発明の効果】
本発明によれば、簡単な構造でありながら、興趣に富み、視認性も良好な、発光体による動きのある装飾装置を得ることができるという利点がある。
【図面の簡単な説明】
【図１】本発明のからくり時計の正面図である。
【図２】図１に示すからくり時計の装飾装置の要部断面図である。
【図３】図１に示すからくり時計の回路ブロック図である。
【図４】本発明の第２の実施の形態の装飾装置を示す正面図である。
【図５】図４に示す装飾装置の回路構成を示すブロック図である。
【図６】図４に示す装飾装置の気圧の状態の変化にともなう装飾体の変化を説明するための図である。
【符号の説明】
１…からくり時計
５…装飾装置
１０…筐体
１１…筐体正面部
２０…時計装置
２１…文字盤
２２…指針
３０…装飾装置
３１…装飾体
３１ａ…固定端
３１ｂ…自由端
３２…駆動装置
３２ａ…第１の磁性体
３２ｂ…第２の磁性体
３２ｃ…駆動モータ
４０…正時接点（モニタ接点）
４１…タイミング回路
４２…スイッチングトランジスタ
４３…インバータ回路
４４…抵抗器
５１，５１ａ〜５１ｄ…装飾体
６０…駆動装置
６１…回転体
６２…係合体
７１…気圧センサ
７２…増幅回路
７３…Ａ−Ｄ変換器
７４…マイコン回路
７５…モータバッファ
７６…インバータ回路
８１…モニタスイッチ
８２…リセットスイッチ
【図１】
0003621254.tif 000002
【図２】
0003621254.tif 000003
【図３】
0003621254.tif 000004
【図４】
0003621254.tif 000005
【図５】
0003621254.tif 000006
【図６】
0003621254.tif 000007